【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
プロセスプラントから別のシステムへの通信を安全に転送するための方法であって、
フィールドゲートウェイにおいて、前記プロセスプラントのネットワークと、前記フィールドゲートウェイとエッジゲートウェイとの間の双方向通信を防止するように構成されたデータダイオードと、を相互接続し、前記データダイオードを経由して前記エッジゲートウェイに、前記プロセス制御プラントの１つ以上のデバイスの各々を記述するそれぞれのコンテキスト情報を反復的に告知することと、
前記プロセスプラントがプロセスを制御するように動作している間に、前記１つ以上のデバイスの前記各々によって生成されたデータを、前記プロセスプラントネットワークを介して前記フィールドゲートウェイで受信することと、
前記フィールドゲートウェイによって、前記データダイオードを経由して前記エッジゲートウェイに、前記プロセスプラントデータをパブリッシュすることと、を含む、方法。
【請求項２】
特定のデバイスを記述する前記それぞれのコンテキスト情報を反復的に告知することが、前記特定のデバイスを記述する前記それぞれのコンテキスト情報を周期的に送信することを含み、前記周期性が、失われたデータのアプリケーションの許容差に基づいており、前記アプリケーションが、前記特定のデバイスによって生成される前記データのコンシューマであり、前記アプリケーションが、前記エッジゲートウェイに通信可能に接続される、請求項１に記載の方法。
【請求項３】
前記フィールドゲートウェイによって、特定のデバイスにポーリングを送信することをさらに含み、
前記フィールドゲートウェイにおいて、前記１つ以上の前記各々によって生成された前記データを受信することが、前記フィールドゲートウェイにおいて、前記ポーリングに応答して前記特定のデバイスによって生成されたデータを受信することを含む、請求項１又は２に記載の方法。
【請求項４】
前記１つ以上のデバイスの前記各々によって生成された前記データを受信することが、診断結果を示すデータを受信することを含む、請求項１から３のいずれか一項に記載の方法。
【請求項５】
前記１つ以上のデバイスの前記各々の前記それぞれのコンテキスト情報を反復的に告知することが、コマンド０、コマンド２０、コマンド５０、コマンド７４、またはコマンド１０５を含むＨＡＲＴプロトコルコマンドの群からの少なくとも１つのＨＡＲＴプロトコルコマンドを使用して、前記１つ以上のデバイスの前記各々について前記それぞれのコンテキスト情報を反復的に送信することを含む、請求項１から４のいずれか一項に記載の方法。
【請求項６】
前記１つ以上のデバイスの前記各々の前記それぞれのコンテキスト情報を反復的に告知することが、前記１つ以上のデバイスの前記各々の識別子の指標と、前記１つ以上のデバイスの前記各々によって生成されたデータが提供されるべきそれぞれの速度の指標と、を反復的に送信することを含む、請求項１から５のいずれか一項に記載の方法。
【請求項７】
前記プロセスプラントデータを前記データダイオードを経由してパブリッシュすることが、前記ＨＡＲＴ−ＩＰ（登録商標）プロトコルを使用して、前記データダイオードを経由して前記プロセスプラントデータをパブリッシュすることを含む、請求項１から６のいずれか一項に記載の方法。
【請求項８】
前記プロセスプラントデータを前記データダイオード経由してパブリッシュすることが、ＪＳＯＮフォーマットを使用して前記データダイオードを経由して前記プロセスプラントデータをパブリッシュすることを含む、請求項１から７のいずれか一項に記載の方法。
【請求項９】
前記フィールドゲートウェイにおいて、前記１つ以上のデバイスの前記各々によって生成された前記データを受信することが、前記フィールドゲートウェイにおいて、ＨＡＲＴ−ＩＰ（登録商標）プロトコルを介して、前記１つ以上のデバイスの前記各々によって生成された前記データのうちの少なくとも一部を受信することを含む、請求項１から８のいずれか一項に記載の方法。
【請求項１０】
前記１つ以上のデバイスの前記各々によって生成された前記データのうちの少なくとも一部を前記ＨＡＲＴ−ＩＰプロトコルを介して受信することが、前記１つ以上のデバイスの前記各々によってパブリッシュされたデータを受信することを含む、請求項３から９のいずれか一項に記載の方法。
【請求項１１】
プロセスプラントから別のシステムへの通信を安全に転送するためのシステムであって、
前記プロセスプラントのネットワークに通信可能に結合されたフィールドゲートウェイと、
前記別のシステムに通信可能に結合されたエッジゲートウェイと、
前記フィールドゲートウェイと前記エッジゲートウェイとを相互接続するデータダイオードであって、前記エッジゲートウェイによって送信された通信が前記フィールドゲートウェイに進入することを防止するように構成される、データダイオードと、を備え、
前記プロセスプラントが工業プロセスを制御するように動作している間に、前記プロセスプラントに含まれる１つ以上のデバイスによって生成されたデータが、前記プロセスプラントネットワークを介して前記フィールドゲートウェイにおいて受信され、前記フィールドゲートウェイによって、前記データダイオードを経由して前記エッジゲートウェイにパブリッシュされる、システム。
【請求項１２】
前記１つ以上のデバイスによって生成された前記データが、前記ＨＡＲＴ−ＩＰ（登録商標）プロトコルを使用して前記データダイオードを経由してパブリッシュされる、請求項１１に記載のシステム。
【請求項１３】
前記１つ以上のデバイスによって生成された前記データが、ＪＳＯＮフォーマットを使用して前記データダイオードを経由してパブリッシュされる、請求項１１に記載のシステム。
【請求項１４】
前記データダイオードが、イーサネット接続される、請求項１１から１３のいずれか一項に記載のシステム。
【請求項１５】
前記データダイオードが、直列接続される、請求項１１から１３のいずれか一項に記載のシステム。
【請求項１６】
前記別のシステムが、
前記プロセスプラントで起こる状況及び／または事象を監視することと、
前記プロセスプラントで起こる状況及び／または事象を感知することと、
前記プロセスプラントによって制御されているプロセスの少なくとも一部分を監視することと、
前記生成されたデータを使用して記述的分析を遂行することと、
前記生成されたデータを使用して規範的分析を遂行すること、または、
前記生成されたデータに基づいて、前記プロセスプラントの少なくとも一部分を修正するための規範的機能を生成することと、のうちの少なくとも１つを行うように構成される、請求項１１から１５のいずれか一項に記載のシステム。
【請求項１７】
前記別のシステムが、少なくとも部分的に１つ以上のクラウドコンピューティングシステムで実装される、請求項１１から１６のいずれか一項に記載のシステム。
【請求項１８】
前記プロセスプラントが工業プロセスを制御するように動作している間に、前記１つ以上のデバイスによって生成された前記データが、前記１つ以上のデバイスによって生成された動的データ、または前記１つ以上デバイスの診断もしくは試験の結果として生成された診断データのうちの少なくとも１つを含む、請求項１１から１７のいずれか一項に記載のシステム。
【請求項１９】
前記別のシステムで実行されるアプリケーションが、前記プロセスプラントに含まれる前記１つ以上のデバイスによって生成された前記データのうちの少なくとも一部のコンシューマである、請求項１１から１８のいずれか一項に記載のシステム。
【請求項２０】
前記エッジゲートウェイが、前記プロセスプラントに含まれる前記１つ以上のデバイスによって生成された前記データのうちの少なくとも一部をパブリッシュし、前記別のシステムで実行される前記アプリケーションが、前記エッジゲートウェイによってパブリッシュされた前記データのサブスクライバである、請求項１９に記載のシステム。
【請求項２１】
前記フィールドゲートウェイが、前記データダイオードを経由して前記エッジゲートウェイに、前記１つ以上のデバイスの各々を記述するそれぞれの情報をさらにパブリッシュする、請求項１１から２０のいずれか一項に記載のシステム。
【請求項２２】
前記１つ以上のデバイスの前記各々を記述する前記それぞれの情報が、前記１つ以上のデバイスの前記各々のそれぞれのアイデンティティの指標と、前記１つ以上のデバイスの前記各々によって生成されたデータがパブリッシュされるべきそれぞれの速度と、を含む、請求項２１に記載のシステム。
【請求項２３】
前記１つ以上のデバイスの前記各々を記述する前記それぞれの情報が、前記１つ以上デバイスの前記各々の状態の指標をさらに含む、請求項２２に記載のシステム。
【請求項２４】
前記１つ以上のデバイスによって生成された前記データが、受信され、前記フィールドゲートウェイに提供される無線ゲートウェイをさらに含む、請求項１１から２３のいずれか一項に記載のシステム。
【請求項２５】
前記無線ゲートウェイが、ＷｉｒｅｌｅｓｓＨＡＲＴ（登録商標）である、請求項２４に記載のシステム。
【請求項２６】
前記無線ゲートウェイが、前記１つ以上のデバイスによって生成された前記データを、前記ＨＡＲＴ−ＩＰプロトコルを使用して前記フィールドゲートウェイに提供する、請求項２４又は２５に記載のシステム。
【請求項２７】
前記１つ以上のデバイスのうちの少なくとも１つが、それぞれの生成されたデータを前記無線ゲートウェイにパブリッシュする、請求項２４から２６のいずれか一項に記載のシステム。
【請求項２８】
前記それぞれの生成されたデータがパブリッシュされる前記無線ゲートウェイが、前記それぞれの生成されたデータのサブスクライバである、請求項２７に記載のシステム。
【請求項２９】
前記無線ゲートウェイが、前記１つ以上のデバイスのうちの少なくとも１つをポーリングして、それぞれの生成されたデータを取得する、請求項２４から２８のいずれか一項に記載のシステム。